(57)【要約】【課題】作業マップを取得するための労力を軽減できる作業マップ提供サーバを提供する。【解決手段】作業マップ提供サーバ５は、個々の作業マップが圃場内の小領域毎の作業設定情報から構成されている複数の作業マップと、各作業マップの属性情報とが記憶されている記憶部３４と、作業機械２からのマップ取得要求を受信したときに、当該マップ取得要求に含まれるマップ絞込情報および／または当該マップ取得要求の受信日時と、各作業マップの属性情報とに基づいて、複数の作業マップのうちから、当該マップ取得要求に適合した１または複数の作業マップを選択して、作業機械２に送信するマップ選択部３０Ｂとを含む。【選択図】図２
2020162439.tif 000002
【特許請求の範囲】
【請求項１】
個々の作業マップが圃場内の小領域毎の作業設定情報から構成されている複数の作業マップと、前記各作業マップの属性情報とが記憶されている記憶部と、
作業車両からのマップ取得要求を受信したときに、当該マップ取得要求に含まれるマップ絞込情報および／または当該マップ取得要求の受信日時と、前記各作業マップの属性情報とに基づいて、前記複数の作業マップのうちから、当該マップ取得要求に適合した１または複数の作業マップを選択して、前記作業車両に送信するマップ選択部とを含む、作業マップ提供サーバ。
【請求項２】
前記各作業マップの属性情報が、対応する作業マップが使用されるべき圃場の位置を表す圃場位置情報を含み、
前記マップ絞込情報が前記作業車両の位置を示す車両位置情報であり、
前記マップ選択部が、前記車両位置情報と前記圃場位置情報とに基づいて、前記複数の作業マップのうちから、前記車両位置情報によって示される車両位置から所定距離以内に存在する圃場で使用される作業マップを選択して、前記作業車両に送信するように構成されている、請求項１に記載の作業マップ提供サーバ。
【請求項３】
前記各作業マップの属性情報が、対応する作業マップが使用されるべき作業を表す作業識別情報を含み、
前記マップ絞込情報が作業を特定するための作業特定用情報であり、
前記マップ選択部が、前記作業特定用情報と前記作業識別情報とに基づいて、前記複数の作業マップのうちから、前記作業特定用情報によって特定される作業に使用される作業マップを選択して、前記作業車両に送信するように構成されている、請求項１に記載の作業マップ提供サーバ。
【請求項４】
前記各作業マップの属性情報が、対応する作業マップが使用されるべき期間を表す作業予定期間情報を含み、
前記マップ選択部が、前記マップ取得要求の受信日時と前記作業予定期間情報とに基づいて、前記複数の作業マップのうちから、前記受信日時が前記作業予定期間情報に含まれる作業マップを選択して、前記作業車両に送信するように構成されている、請求項１に記載の作業マップ提供サーバ。
【請求項５】
前記各作業マップの属性情報が、対応する作業マップが使用されるべき圃場の位置を表す圃場位置情報と、対応する作業マップが使用されるべき作業を表す作業識別情報と、対応する作業マップが使用されるべき期間を表す作業予定期間情報とを含み、
前記マップ絞込情報が、前記作業車両の位置を示す車両位置情報と、作業を特定するための作業特定用情報とからなり、
前記マップ選択部が、前記車両位置情報と前記圃場位置情報とに基づいて、前記複数の作業マップのうちから、前記車両位置情報によって示される車両位置から所定距離以内に存在する圃場で使用される作業マップを作業マップ候補として選択し、選択された作業マップ候補のうち、前記マップ取得要求の受信日時が前記作業予定期間に含まれておりかつ前記作業特定用情報によって特定される作業に使用される作業マップを最終的な作業マップ候補として選択して、前記作業車両に送信するように構成されている、請求項１に記載の作業マップ提供サーバ。
【請求項６】
前記作業マップが、小領域毎の目標施肥量から構成される施肥マップである請求項１〜５に記載の作業マップ提供サーバ。
【発明の詳細な説明】
【技術分野】
【０００１】
本発明は、作業マップ提供サーバに関する。
【背景技術】
【０００２】
特許文献１には、開発者端末ＰＣと、開発者端末ＰＣに接続されたＧＩＳサーバと、ＧＩＳサーバにインターネットを介して接続された営農者端末ＰＣとを含む、施肥マップ生成システムが開示されている。
特許文献１に記載の施肥マップ生成システムでは、開発者端末ＰＣは、圃場のリモートセンシングデータと、圃場の土壌サンプリングデータに基づいて、熱水抽出性窒素マップを作成する。ＧＩＳサーバは、営農者端末ＰＣから取得した作物、肥料名、肥料成分等の情報、開発者端末ＰＣから取得した熱水抽出性窒素マップ等に基づいて、圃場内のメッシュ毎の施肥量を演算することにより、施肥マップを作成する。ＧＩＳサーバによって作成された施肥マップは、営農者端末ＰＣにダウンロードされることによって営農者端末ＰＣに提供されるか、またはＣＤ−ＲＯＭ等の記憶媒体を利用して営農者端末ＰＣに提供される。
【０００３】
営農者端末ＰＣに提供された施肥マップは、トラクタ型施肥機に搭載された可変施肥用ＰＣのメモリに入力されて記憶される。可変施肥用ＰＣは、トラクタ型施肥機の現在位置に対応する施肥量データを抽出し、抽出した施肥量データを制御用データに変換する。そして、トラクタ型施肥機に搭載された施肥量制御用マイコンが、可変施肥用ＰＣによって変換された制御用データに基づいて、施肥機を駆動することにより、施肥が行われる。
【先行技術文献】
【特許文献】
【０００４】
【特許文献１】特開２０１１−２５４７１１号公報
【発明の概要】
【発明が解決しようとする課題】
【０００５】
特許文献１に記載のシステムでは、営農者が多数の圃場を所有している場合には、ＧＩＳサーバによって多数の施肥マップが作成されることになる。また、同じ圃場に対する施肥マップであっても、基肥散布作業用の施肥マップや、側条施肥作業用の施肥マップや、追肥作業用の施肥マップが作成される可能性がある。そうすると、営農者は、施肥作業を行う場合に、当該施肥作業に使用すべき施肥マップをＧＩＳサーバから取得するのに手間がかかるおそれがある。
【０００６】
この発明の目的は、作業マップを取得するための労力を軽減できる作業マップ提供サーバを提供することである。
【課題を解決するための手段】
【０００７】
この発明の一実施形態は、個々の作業マップが圃場内の小領域毎の作業設定情報から構成されている複数の作業マップと、前記各作業マップの属性情報とが記憶されている記憶部と、作業車両からのマップ取得要求を受信したときに、当該マップ取得要求に含まれるマップ絞込情報および／または当該マップ取得要求の受信日時と、前記各作業マップの属性情報とに基づいて、前記複数の作業マップのうちから、当該マップ取得要求に適合した１または複数の作業マップを選択して、前記作業車両に送信するマップ選択部とを含む、作業マップ提供サーバを提供する。
【０００８】
この構成では、ユーザは、ユーザ端末を操作することによって作業マップ提供サーバから作業に使用すべき作業マップを取得する必要がないので、作業マップを取得するための労力が軽減される。
この発明の一実施形態では、前記各作業マップの属性情報が、対応する作業マップが使用されるべき圃場の位置を表す圃場位置情報を含み、前記マップ絞込情報が前記作業車両の位置を示す車両位置情報であり、前記マップ選択部が、前記車両位置情報と前記圃場位置情報とに基づいて、前記複数の作業マップのうちから、前記車両位置情報によって示される車両位置から所定距離以内に存在する圃場で使用される作業マップを選択して、前記作業車両に送信するように構成されている。
【０００９】
この発明の一実施形態では、前記各作業マップの属性情報が、対応する作業マップが使用されるべき作業を表す作業識別情報を含み、前記マップ絞込情報が作業を特定するための作業特定用情報であり、前記マップ選択部が、前記作業特定用情報と前記作業識別情報とに基づいて、前記複数の作業マップのうちから、前記作業特定用情報によって特定される作業に使用される作業マップを選択して、前記作業車両に送信するように構成されている。
【００１０】
この発明の一実施形態では、前記各作業マップの属性情報が、対応する作業マップが使用されるべき期間を表す作業予定期間情報を含み、前記マップ選択部が、前記マップ取得要求の受信日時と前記作業予定期間情報とに基づいて、前記複数の作業マップのうちから、前記受信日時が前記作業予定期間情報に含まれる作業マップを選択して、前記作業車両に送信するように構成されている。
【００１１】
この発明の一実施形態では、前記各作業マップの属性情報が、対応する作業マップが使用されるべき圃場の位置を表す圃場位置情報と、対応する作業マップが使用されるべき作業を表す作業識別情報と、対応する作業マップが使用されるべき期間を表す作業予定期間情報とを含み、前記マップ絞込情報が、前記作業車両の位置を示す車両位置情報と、作業を特定するための作業特定用情報とからなり、前記マップ選択部が、前記車両位置情報と前記圃場位置情報とに基づいて、前記複数の作業マップのうちから、前記車両位置情報によって示される車両位置から所定距離以内に存在する圃場で使用される作業マップを作業マップ候補として選択し、選択された作業マップ候補のうち、前記マップ取得要求の受信日時が前記作業予定期間に含まれておりかつ前記作業特定用情報によって特定される作業に使用される作業マップを最終的な作業マップ候補として選択して、前記作業車両に送信するように構成されている。
【００１２】
この発明の一実施形態では、前記作業マップが、小領域毎の目標施肥量から構成される施肥マップである。
【図面の簡単な説明】
【００１３】
【図１】図１は、本発明の一実施形態に係る作業マップ提供サーバを含む作業マップ提供システムの構成を示す模式図である。
【図２】図２は、作業車両、作業機および作業マップ提供サーバの電気的構成を示すブロック図である。
【図３】図３は、マップ属性テーブルの一例を示す模式図である。
【図４】図４は、車両ＩＤ／作業ＩＤテーブルの一例を示す模式図である。
【図５】図５は、作業車両が作業マップ提供サーバから作業マップを取得する場合の、走行機制御部およびサーバ制御部内のマップ選択部の動作を説明するためのフローチャートである。
【発明を実施するための形態】
【００１４】
以下では、この発明の実施の形態を、添付図面を参照して詳細に説明する。
図１は、本発明の一実施形態に係る作業マップ提供サーバを含む作業マップ提供システムの構成を示す模式図である。作業マップ提供システム１は、作業機械２に作業マップを提供するためのシステムである。
作業マップ提供システム１は、作業機械２と、マップ提供サーバ（以下、単に「サーバ５」という）とを含む。作業機械２は、ネットワーク６を介してサーバ５と通信可能である。
【００１５】
この明細書において、作業機械２は、作業車両、作業用飛行体等を含む。作業車両は、走行機と走行機に牽引される作業機とからなる作業車両や、走行機と作業機が一体となっている作業車両を含む。作業用飛行体は、作業機が搭載されたヘリコプター、マルチコプター、ドローン等の飛行体を含む。
図１には、作業機械２として作業車両が例示されている。図１に例示された作業機械２としての作業車両は、走行機３と、走行機３に牽引される作業機４とからなる。図１の例では、走行機３は、トラクタである。作業機４の種類には、例えば、肥料散布機、農薬散布機、ロールベーラ、耕耘機、プラウ、レベラー、草刈機、播種機、収穫機等がある。なお、走行機と作業機が一体となっている作業車両としては、例えば、田植機、コンバイン等を挙げることができる。
【００１６】
なお、作業機械２としては、作業の種類に応じて、作業車両が用いられたり、作業用飛行体が用いられたりする。ただし、この実施形態においては、作業機械２が、走行機３と、走行機３に牽引される作業機４とからなる作業車両である場合を主として説明する。
作業機械２は、特定ユーザが所有する圃場に対して作業を行う。サーバ５は、管理センター７内に設けられている。サーバ５は、複数のユーザが所有する各圃場に対して行われる１または複数の作業に使用される作業マップを記憶している。しかし、説明の便宜上、サーバ５は、特定ユーザが所有する各圃場に対して行われる１または複数の作業に使用される作業マップのみを記憶しているものとする。この実施形態では、作業マップは、圃場内のメッシュ単位の作業設定情報からなる。なお、作業マップは、圃場内の網目状のメッシュ単位ではなく、圃場内の離散的な小領域毎の作業設定情報からなっていてもよい。
【００１７】
作業設定情報としては、基肥散布作業に使用される目標施肥量、側条施肥作業に使用される目標施肥量および追肥作業に使用される目標施肥量、目標農薬散布量等が挙げられる。メッシュとは、圃場を複数の矩形状（この実施形態では正方形状）の小領域に分割した場合の個々の小領域を意味する。
図２は、走行機３、作業機４およびサーバ５の電気的構成を示すブロック図である。
【００１８】
走行機３は、制御部（以下、「走行機制御部１０」という。）を含む。走行機制御部１０は、ＣＰＵおよびメモリ（揮発性メモリ、不揮発性メモリ等）１０Ａを備えたマイクロコンピュータを含む。走行機制御部１０は、走行機３の動作（前進、後進、停止、旋回等の動作）を制御する。走行機制御部１０には、走行機３の各部を制御するための複数のコントロ−ラ（コントローラ群１１）が電気的に接続されている。複数のコントローラは、エンジンの回転数等を制御するエンジンコントローラ、走行機３の車速を制御する車速コントローラ、走行機３の前輪の転舵角を制御する操向コントローラ、ＰＴＯ軸の回転を制御するＰＴＯ軸コントローラ等を含む。
【００１９】
走行機制御部１０には、さらに、位置情報算出部１２、通信部１３等が接続されている。
位置情報算出部１２には、衛星信号受信用アンテナ１４が電気的に接続されている。衛星信号受信用アンテナ１４は、衛星測位システムを構成する測位衛星８（図１参照）からの信号を受信するものである。衛星測位システムは、たとえば、ＧＮＳＳ（Global Navigation Satellite System）である。位置情報算出部１２は、衛星信号受信用アンテナ１４で受信された測位信号に基づいて、走行機３（厳密には、衛星信号受信用アンテナ１４）の位置を算出する。具体的には、位置情報算出部１２は、時刻情報と位置情報とを含む測位情報を生成する。位置情報は、例えば、緯度情報と経度情報とからなる。
【００２０】
通信部１３は、走行機制御部１０がネットワーク６を介してサーバ５と通信するための通信インターフェースである。
作業機４は、作業機４の動作を制御する制御部（以下、「作業機制御部２０」という。）を含む。作業機制御部２０は、ＣＰＵおよびメモリ（揮発性メモリ、不揮発性メモリ等）を備えたマイクロコンピュータを含む。作業機制御部２０は、ＣＡＮ（Controller Area Network）を介して走行機制御部１０に接続されている。
【００２１】
作業機制御部２０には、作業用アクチュエータ２１等が接続されている。作業機４が肥料散布機である場合には、作業用アクチュエータ２１は、例えば、肥料貯留タンクの底部に設けられた電子シャッタを駆動するためのアクチュエータである。作業機４が農薬散布機である場合には、作業用アクチュエータ２１は、例えば、農薬貯留薬タンクから吐出ノズルに農薬を供給するためのポンプを駆動するためのアクチュエータである。作業機４が播種機である場合には、作業用アクチュエータ２１は、例えば、種子収容タンクから種子を繰り出す繰出装置を駆動するためのアクチュエータである。
【００２２】
サーバ５は、サーバ５を制御する制御部（以下、「サーバ制御部３０」という。）を含む。制御部３０は、ＣＰＵおよびメモリ（揮発性メモリ、不揮発性メモリ等）３０Ａを備えたマイクロコンピュータを含む。サーバ制御部３０には、通信部３１、操作表示部３２、操作部３３および記憶部３４が電気的に接続されている。
通信部３１は、サーバ制御部３０がネットワーク６を介して走行機制御部１０と通信するための通信インターフェースである。操作表示部３２は、例えば、タッチパネル式ディスプレイからなる。操作部３３は、例えば、キーボード、マウス等を含む。
【００２３】
記憶部３４は、ハードディスク、不揮発性メモリ等の記憶デバイスから構成されている。記憶部３４には、複数の作業マップファイル（作業マップファイル群）３４Ａ、マップ属性テーブル３４Ｂ、車両ＩＤ／作業ＩＤテーブル３４Ｃ等が格納されている。
作業マップファイル群３４Ａは、説明の便宜上、特定ユーザが所有する圃場で行われる作業に使用される作業マップファイル（以下、単に「作業マップ」という）のみを含んでいるものとする。ある圃場に対する作業マップは、圃場内の各メッシュの位置を特定するための位置情報と、各メッシュに対する作業設定情報とを含んでいる。メッシュの位置を特定するための位置情報は、例えば、当該メッシュの４頂点の位置情報または４頂点のうちの一組の対頂点の位置情報からなる。メッシュの位置を特定するための位置情報は、当該メッシュの中心の位置情報を含んでいてもよい。
【００２４】
図３に示すように、マップ属性テーブル３４Ｂには、作業マップファイル群３４Ａに含まれている各作業マップの属性情報が、作業マップ毎に記憶されている。属性情報は、作業予定期間と、圃場番号と、圃場位置情報と、作業識別情報（作業ＩＤ）と、作業名と、ファイル名とを含む。
ある作業マップに対する作業予定期間は、当該作業マップが使用されるべき期間を表す情報である。ある作業マップに対する圃場番号は、当該作業マップが使用されるべき圃場の番号である。ある作業マップに対する圃場位置情報は、当該作業マップが使用されるべき圃場位置を表す情報である。この実施形態では、圃場位置情報は、圃場の中心位置の緯度・経度情報からなる。
【００２５】
ある作業マップに対する作業識別情報（作業ＩＤ）は、当該作業マップが使用されるべき作業を識別するための情報である。ある作業マップに対する作業名は、当該作業マップが使用されるべき作業の名称である。ある作業マップに対するファイル名は、当該作業マップ（作業マップファイル）のファイル名である。
図３の例では、特定ユーザが所有している圃場としては、圃場番号が“１”〜”７”の７つの圃場がある。また、作業マップを使用して行われる作業としては、基肥散布作業と、側条施肥作業と、追肥作業とがある。以下において、これらの作業を総称して施肥作業という場合がある。施肥作業に対する作業設定情報（メッシュ単位の作業設定情報）は、所定面積当たりの目標施肥量からなる。追肥作業は、作物が生育されている状態で行われるので、追肥用の作業機が搭載された作業用飛行体を用いて行われることもある。
【００２６】
追肥作業に使用される作業マップは、例えば、次のようにして作成される。すなわち、まず、マルチコプター等の飛行体を用いて圃場の上空からマルチスペクトルカメラで作物が撮影される。次に、撮影された画像に基づいてメッシュ毎の作物の生育状況が演算される。そして、演算されたメッシュ毎の作物の生育状況に基づいて、メッシュ毎の目標施肥量からなる作業マップが作成される。作物の生育状況は時間が経過すると変化するので、作物の生育状況に基づいて作成された作業マップは、作成されてから所定期間内に使用されることが好ましい。追肥作業に使用される作業マップに対する作業予定期間は、このような観点から設定される。
【００２７】
図４に示すように、車両ＩＤ／作業ＩＤテーブル３４Ｃには、作業機械２の種類を特定するための車両ＩＤ毎に、その車両ＩＤに対応する作業車両によって行われる作業を特定するための作業識別情報（作業ＩＤ）が記憶されている。車両ＩＤは、例えば、走行機３の型番および作業機４の型番の両方または一方が用いられる。
サーバ制御部３０は、機能処理部として、作業機械２から送信されてくるマップ取得要求コマンドに基づいて、マップ取得要求コマンドに適合した１または複数の作業マップを、作業マップファイル群３４Ａから選択して作業機械２に送信するマップ選択部３０Ｂを備えている。
【００２８】
図５は、作業機械２がサーバ５から作業マップを取得する場合の、走行機制御部１０およびサーバ制御部３０内のマップ選択部３０Ｂの動作を説明するためのフローチャートである。
走行機制御部１０は、作業機械２が起動されると（ステップＳ１）、位置情報算出部１２によって生成される測位情報（車両位置情報および時刻情報）と当該作業機械２の車両ＩＤとからなるマップ絞込情報を含むマップ取得要求コマンドを、サーバ５に送信する（ステップＳ２）。作業機械２が起動されるとは、例えば走行機３のエンジンが駆動されたことをいう。走行機３が所定時間以上停止した状態から走行を開始したときに、作業機械２が起動されたと判別してもよい。車両ＩＤは、本発明の「作業特定用情報」の一例である。
【００２９】
サーバ制御部３０内のマップ選択部３０Ｂは、作業機械２から送信されたマップ取得要求コマンドを受信すると（ステップＳ１１：ＹＥＳ）、ステップＳ１２に移行する。
ステップＳ１２では、マップ選択部３０Ｂは、受信したマップ絞込情報に含まれる車両位置情報と、マップ属性テーブル３４Ｂ内の圃場位置情報とに基づいて、マップ属性テーブル３４Ｂ内のファイル名のうち、作業機械２の位置から所定距離以内に存在する圃場に対応するファイル名を、ファイル名候補として選択する（ステップＳ１２）。
【００３０】
具体的には、マップ選択部３０Ｂは、車両位置情報で示される作業車両位置から、中心位置が所定距離以内にある圃場に対する１または複数のファイル名をファイル名候補として選択する。所定距離は、例えば５００ｍに設定される。
また、マップ選択部３０Ｂは、車両ＩＤ／作業ＩＤテーブル３４Ｃとマップ取得要求コマンドに含まれている車両ＩＤとに基づいて、車両ＩＤに対応する作業ＩＤを特定する（ステップＳ１３）。
【００３１】
次に、マップ選択部３０Ｂは、ステップＳ１２で選択したファイル名候補のうち、作業予定期間がマップ取得要求コマンドの受信日時を含んでおり、かつ作業ＩＤがステップＳ１３で特定した作業ＩＤと一致するファイル名候補を、最終的なファイル名候補として選択する（ステップＳ１４）。
なお、マップ取得要求コマンドの受信日時の代わりに受信した測位情報に含まれている時刻情報を用いてもよい。言い換えれば、受信した測位情報に含まれている時刻情報を、マップ取得要求コマンドの受信日時とみなしてもよい。
【００３２】
そして、マップ選択部３０Ｂは、作業マップファイル群３４Ａに含まれている作業マップのうち、ステップＳ１４で選択された最終的なファイル名候補に対応する１または複数の作業マップを選択して、作業機械２に送信する（ステップＳ１５）。
走行機制御部１０は、サーバ５から送信された１または複数の作業マップを受信すると（ステップＳ３：ＹＥＳ）、受信した作業マップをメモリ１０Ａに記憶する（ステップＳ４）。
【００３３】
この後、作業機械２が作業を開始すると、走行機制御部１０は、所定時間毎に、ステップＳ４でメモリ１０Ａに記憶された作業マップから、位置情報算出部１２によって算出される位置情報に対応する作業設定情報（目標施肥量）を取得して、作業機制御部２０に与える。作業機制御部２０は、走行機制御部１０から与えられた作業設定情報（目標施肥量）に基づいて、作業用アクチュエータ２１を制御する。これにより、作業対象のメッシュに対する単位面積当たりの施肥量が、作業マップ内の当該メッシュに対応した目標施肥量となるように制御される。
【００３４】
前述の実施形態では、特定ユーザは、ユーザ端末を操作することによってサーバ５から作業に使用すべき作業マップを取得する必要がないので、作業マップを取得するための労力が軽減される。
以上、この発明の実施形態について説明したが、この発明はさらに他の形態で実施することもできる。例えば前述の実施形態では、走行機制御部１０は、作業特定用情報として作業機械２の種類を特定するための車両ＩＤをサーバ５に送信しているが（図５のステップＳ２参照）、作業特定用情報として作業識別情報（作業ＩＤ）を送信してもよい。このようにすると、サーバ制御部３０は、車両ＩＤに対応する作業ＩＤを車両ＩＤ／作業ＩＤテーブル３４Ｃから取得する必要がなくなる。
【００３５】
また、前述の実施形態では、走行機制御部１０は、作業機械２が起動されたときに、測位情報と車両ＩＤとからなるマップ絞込情報を含むマップ取得要求コマンドを、サーバ５に送信している（図５のステップＳ２参照）。
しかし、走行機制御部１０は、作業機械２が起動されたときに、作業機械２の位置情報を表す車両位置情報のみをマップ絞込情報として含むマップ取得要求コマンドを、サーバ５に送信してもよい。この場合には、マップ選択部３０Ｂは、車両位置情報で示される作業機械２の位置から、中心位置が所定距離以内にある圃場に対する１または複数のファイル名に対応した作業マップを選択して作業機械２に送信する。
【００３６】
また、この場合、マップ選択部３０Ｂは、次のようにして、作業マップを選択してもよい。すなわち、マップ選択部３０Ｂは、車両位置情報で示される作業機械２の位置から、中心位置が所定距離以内にある圃場に対する１または複数のファイル名をファイル名候補として選択する。次に、マップ選択部３０Ｂは、ファイル名候補のうち、マップ取得要求コマンドの受信時刻が作業予定期間に含まれるファイル名に対応する作業マップを選択して、作業機械２に送信する。
【００３７】
また、走行機制御部１０は、作業機械２が起動されたときに、車両ＩＤのみをマップ絞込情報として含むマップ取得要求コマンドを、サーバ５に送信してもよい。この場合には、マップ選択部３０Ｂは、車両ＩＤに対応する作業ＩＤを車両ＩＤ／作業ＩＤテーブル３４Ｃから取得し、取得した作業ＩＤに適合する１または複数のファイル名に対応した作業マップを選択して作業機械２に送信する。
【００３８】
また、この場合、マップ選択部３０Ｂは、次のようにして、作業マップを選択してもよい。すなわち、マップ選択部３０Ｂは、車両ＩＤに対応する作業ＩＤを車両ＩＤ／作業ＩＤテーブル３４Ｃから取得する。そして、サーバ制御部３０は、取得した作業ＩＤに適合しかつマップ取得要求コマンドの受信時刻が作業予定期間に含まれるファイル名に対応する作業マップを選択して、作業機械２に送信する。
【００３９】
また、走行機制御部１０は、作業機械２が起動されたときに、単にマップ取得要求コマンドのみを、サーバ５に送信してもよい。この場合には、サーバ制御部３０は、マップ取得要求コマンドの受信時刻が作業予定期間に含まれるファイル名に対応する作業マップを選択して、作業機械２に送信する。
また、前述の実施形態では、作業を行う日に走行機制御部１０がサーバ５から作業マップを取得することを前提に説明したが、作業を行う予定日よりも前に走行機制御部１０がサーバ５から作業マップを取得するようにしてよい。この場合、走行機制御部１０は、マップ絞込情報として少なくとも作業予定日時（または作業予定日）を含んでいるマップ取得要求コマンドを、サーバ５に送信してもよい。この場合には、サーバ５は、マップ絞込情報に含まれている作業予定日時が作業予定期間に含まれるファイル名に対応する作業マップを選択候補として選択する。そして、マップ絞込情報に作業予定日時以外の絞り込み情報が含まれていなければ、サーバ５は、当該選択候補を作業機械２に送信する。
【００４０】
一方、マップ絞込情報に作業予定日時以外の絞り込み情報が含まれている場合には、サーバ５は、当該選択候補のうち作業予定日時以外の絞り込み情報に適合した選択候補を選択して、作業機械２に送信する。
また、前述の実施形態は、作業マップを使用して行われる作業が、基肥散布作業、側条施肥作業および追肥作業である場合について説明した。しかし、作業マップを使用して行われる作業は、農薬散布作業、播種作業等の施肥作業以外の作業であってもよい。
【００４１】
農薬散布作業に使用される作業マップは、メッシュ毎の目標農薬散布量からなる農薬散布量マップである。播種作業に使用される作業マップは、メッシュ毎の目標播種量からなる播種量マップである。
なお、特許請求の範囲に記載した範囲で種々の変更を行うことができる。
【符号の説明】
【００４２】
１  作業マップ提供システム
２  作業機械
３  走行機
４  作業機
５  管理サーバ
６  ネットワーク
８  測位衛星（ＧＮＳＳ衛星）
１０  作業車両制御部
１０Ａ  メモリ
１１  コントローラ群
１２  位置情報算出部
１３  通信部
１４  衛星信号受信用アンテナ
２０  作業機制御部
２１  作業用アクチュエータ
３０  制御部
３０Ａ  メモリ
３０Ｂ  マップ選択部
３１  通信部
３２  操作表示部
３３  操作部
３４  記憶部
３４Ａ  作業マップファイル群
３４Ｂ  作業マップテーブル
３４Ｃ  車両ＩＤ／作業ＩＤテーブル
【図１】
2020162439.tif 000003
【図２】
2020162439.tif 000004
【図３】
2020162439.tif 000005
【図４】
2020162439.tif 000006
【図５】
2020162439.tif 000007